(57)【要約】【課題】接近して配置された複数のアンテナ素子を有するアンテナ装置において、広帯域に良好な入力特性を得ることができ、さらに広帯域に干渉を低減する構造を実現する。【解決手段】放射器となるアンテナ素子１０および反射器となるグラウンド部１１を備えたアンテナを複数用いて通信を行うアンテナ装置において、隣り合うアンテナのグラウンド部１１が、グラウンド結合部１２によって結合される。グラウンド結合部１２は、各アンテナにおけるアンテナ素子１０とグラウンド部１１との境界線と略一致する線上に配置される。グラウンド結合部１２のアンテナ素子側には導体パターン１３が接続され、グラウンド側には導体パターン１４が接続される。【選択図】図１
2010004366.tif 000002
【特許請求の範囲】
【請求項１】
放射器となるアンテナ素子および反射器となるグラウンド部を備えたアンテナを複数用いて通信を行うアンテナ装置において、
隣り合うアンテナのグラウンド部が、グラウンド結合部によって結合されており、
上記グラウンド結合部は、上記各アンテナにおけるアンテナ素子とグラウンド部との境界線と略一致する線上に配置されており、
上記グラウンド結合部のアンテナ素子側およびグラウンド側の両方に導体パターンが接続されていることを特徴とするアンテナ装置。
【請求項２】
アンテナ素子側に配置される上記導体パターンは、そのアンテナ素子方向の高さが、アンテナが使用される下限周波数におけるグラウンド結合部を伝搬する高周波電流波長の約１／４であることを特徴とする請求項１に記載のアンテナ装置。
【請求項３】
アンテナ素子側に配置される上記導体パターンは、そのアンテナ素子方向に延びる３本以上の直線状の導体パターンであり、
これらのうち少なくともアンテナ素子に最も近い導体パターンのアンテナ素子方向高さがアンテナが使用される下限周波数におけるグラウンド結合部を伝搬する高周波電流波長の約１／４であることを特徴とする請求項１に記載のアンテナ装置。
【請求項４】
上記導体パターンは隣合うアンテナ間の中点に対して対称に配置されていることを特徴とする請求項１に記載のアンテナ装置。
【請求項５】
グラウンド部側に配置される上記導体パターンはグラウンド部側へ先端をもつテーパ状となっており、そのグラウンド部方向の高さが、アンテナが使用される下限周波数における自由空間波長の約１／４であることを特徴とする請求項１に記載のアンテナ装置。
【発明の詳細な説明】
【技術分野】
【０００１】
本発明は、平面基板上に形成されるアンテナ装置に関するものであり、特に反射器を有する広帯域のアンテナ装置に関するものである。
【背景技術】
【０００２】
無線通信機能を備えた携帯機器（携帯電話、一部のデジタルカメラなど）では、多量の情報を安定してやりとりするために、しばしば送受信アンテナを複数用いる方法がとられる。このようなアンテナは、称してダイバシティアンテナと呼ばれる。
【０００３】
携帯機器の小型化に伴い、アンテナにおいての小型化を図ることはもちろん、複数のアンテナを備える場合にはアンテナ同士が接近して配置されることも増えている。このような時に問題となるのは、近接配置されたアンテナ間の結合による(1) アンテナ入力特性の劣化と、(2) 送信同士・受信同士の間での信号の干渉である。
【０００４】
特許文献１には、上記(1)の課題を解決するために、２つのアンテナの間に１本以上の細長い導体を配置した構成が開示されている。上記導体は、両アンテナのＧＮＤと接続されている。
【０００５】
また、特許文献２には、上記(2)の課題を解決するために、ＧＮＤを共有する２つ以上のアンテナに対し、ＧＮＤの一部に切り欠きを設けた構成が開示されている。
【特許文献１】特表２００２−５３８６４８号公報（国際公開日：２０００年８月３１日）
【特許文献２】特開２００７−１３６４３号公報（公開日：２００７年１月１８日）
【発明の開示】
【発明が解決しようとする課題】
【０００６】
近年、携帯機器においても、多量のデータをやりとりするために広帯域な無線通信を行う必要性が高まっており、広い帯域で上記問題の両方を解消することが望まれている。しかしながら、上記特許文献１，２のアンテナは、広い帯域で上記問題の両方を解決できるものではない。これについて、図３４〜図３６を参照して以下に説明する。
【０００７】
図３４における（ａ）は、２つのアンテナ素子を近接配置（素子間距離３０ｍｍ）した構成（アンテナを近接配置した場合の上記課題に対して何ら対策を行っていない構成）を示す平面図であり、（ｂ）は上記構成におけるアンテナの入力特性および信号干渉を示すグラフである。
【０００８】
尚、本明細書において、アンテナの入力特性を示すパラメータとしてＶＳＷＲ（電圧定在波比）が使用されている。ここで、ＶＳＷＲは、アンテナへの入力波に対する反射波の割合を示すものである。ＶＳＷＲの値が低いほどアンテナの入力特性が高いことを示し、一般にはその値が３以下程度であれば良好な入力特性であるとみなされる。また、アンテナの信号干渉を示すパラメータとしてはＳ２１（通過特性）が使用されている。Ｓ２１は、送信アンテナへの入力波に対する受信アンテナからの出力波の割合を示すものである。Ｓ２１の値が低いほどアンテナの信号干渉が少ないことを示す。
【０００９】
図３４（ｂ）のグラフでは、ＶＳＷＲを実線で、Ｓ２１を破線で示している。このグラフより、アンテナを近接配置した場合の課題に対して何ら対策を行っていない場合は、良好な入力特性を得ることのできる帯域が狭く、また、信号干渉も広い帯域で発生していることが分かる。
【００１０】
図３５における（ａ）は、２つのアンテナ素子間に３本の細長い導体を配置した構成（特許文献１の技術を適用した構成）を示す平面図であり、（ｂ）は上記構成におけるアンテナの入力特性および信号干渉を示すグラフである。図３５（ｂ）のグラフでは、広帯域で（例としてＵＷＢで用いられる３〜５ＧＨｚを用いる）良好な入力特性は得られているが、アンテナ間の信号干渉を低く抑えることはできない。
【００１１】
図３６における（ａ）は、ＧＮＤを共有する２つ以上のアンテナに対し、ＧＮＤの一部に切り欠きを設けた構成（特許文献２の技術を適用した構成）を示す平面図であり、（ｂ）は上記構成におけるアンテナの入力特性および信号干渉を示すグラフである。図３６（ｂ）のグラフでは、３．３ＧＨz以下では入力特性が悪くなっており、また、アンテナ間での信号干渉を広帯域で低い値にすることはできていない。
【００１２】
本発明は、上記の問題点に鑑みてなされたものであり、その目的は、接近して配置された複数のアンテナ素子を有するアンテナ装置において、広帯域に良好な入力特性を得ることができ、さらに広帯域に干渉を低減する構造を実現することにある。
【課題を解決するための手段】
【００１３】
本発明に係るアンテナ装置は、上記課題を解決するために、放射器となるアンテナ素子および反射器となるグラウンド部を備えたアンテナを複数用いて通信を行うアンテナ装置において、隣り合うアンテナのグラウンド部が、グラウンド結合部によって結合されており、上記グラウンド結合部は、上記各アンテナにおけるアンテナ素子とグラウンド部との境界線と略一致する線上に配置されており、上記グラウンド結合部のアンテナ素子側およびグラウンド側の両方に導体パターンが接続されていることを特徴としている。
【００１４】
上記の構成によれば、上記グラウンド結合部のアンテナ素子側およびグラウンド側の両方に接続された導体パターンにより、接近して配置された複数のアンテナ素子を有するアンテナ装置において、広帯域に良好な入力特性を得ることができ、さらに広帯域に干渉を低減する構造を実現することができる。
【００１５】
上記アンテナ装置においては、アンテナ素子側に配置される上記導体パターンは、そのアンテナ素子方向の高さが、アンテナが使用される下限周波数におけるグラウンド結合部を伝搬する高周波電流波長の約１／４であることが好ましい。
【００１６】
また、上記アンテナ装置においては、アンテナ素子側に配置される上記導体パターンは、そのアンテナ素子方向に延びる３本以上の直線状の導体パターンであり、これらのうち少なくともアンテナ素子に最も近い導体パターンのアンテナ素子方向高さがアンテナが使用される下限周波数におけるグラウンド結合部を伝搬する高周波電流波長の約１／４であることが好ましい。
【００１７】
また、上記アンテナ装置においては、上記導体パターンは隣合うアンテナ間の中点に対して対称に配置されていることが好ましい。
【００１８】
また、上記アンテナ装置においては、グラウンド部側に配置される上記導体パターンはグラウンド部側へ先端をもつテーパ状となっており、そのグラウンド部方向の高さが、アンテナが使用される下限周波数における自由空間波長の約１／４であることが好ましい。
【発明の効果】
【００１９】
本発明に係るアンテナ装置は、以上のように、放射器となるアンテナ素子および反射器となるグラウンド部を備えたアンテナを複数用いて通信を行うアンテナ装置において、隣り合うアンテナのグラウンド部が、グラウンド結合部によって結合されており、上記グラウンド結合部は、上記各アンテナにおけるアンテナ素子とグラウンド部との境界線と略一致する線上に配置されており、上記グラウンド結合部のアンテナ素子側およびグラウンド側の両方に導体パターンが接続されている構成である。
【００２０】
それゆえ、上記グラウンド結合部のアンテナ素子側およびグラウンド側の両方に接続された導体パターンにより、接近して配置された複数のアンテナ素子を有するアンテナ装置において、広帯域に良好な入力特性を得ることができ、さらに広帯域に干渉を低減する構造を実現することができるといった効果を奏する。
【発明を実施するための最良の形態】
【００２１】
本発明の一実施形態について図１ないし図３３に基づいて説明すると以下の通りである。図１は、本実施の形態に係るアンテナ装置の一構成例を示すものである。
【００２２】
図１に示すアンテナ装置は、放射器となるアンテナ素子１０および反射器となるグラウンド部１１を備えたアンテナを送信または(かつ)受信側に複数用いて通信を行うダイバーシティアンテナシステムを構成している。尚、図１では、アンテナを２つ用いたシステムを例示しているが、本発明はこれに限定されるものではなく、３つ以上のアンテナを用いるものであっても良い。また、上記アンテナ装置において含まれるこれら複数のアンテナは、同一偏波を主として使用するものとなっている。
【００２３】
図１のアンテナ装置では、隣り合うアンテナのグラウンド部１１同士は、グラウンド結合部１２にて結合されている。グラウンド結合部１２は、アンテナ素子１０とグラウンド部１１との境界位置付近で、隣り合うアンテナのグラウンド部１１同士を結合している。すなわち、各アンテナにおけるアンテナ素子１０とグラウンド部１１との境界線と、グラウンド結合部１２のアンテナ素子側端部とは、同一線上に位置するようになっている。
【００２４】
また、グラウンド結合部１２のアンテナ素子側およびＧＮＤ側のそれぞれには、少なくとも一つの線状ないしは多角形の導体パターン１３，１４が、グラウンド結合部１２と結合して形成されている。これらの導体パターン１３，１４は、同一平面内に形成されることにより、それぞれのアンテナで使用する偏波の振幅方向を同一とすることができる（同一偏波を使用できる）。
【００２５】
導体パターン１３は、グラウンド結合部１２に対してアンテナ素子側に設けられている。図１の構成では、細長い直線状の導体パターン１３を３本設けた場合を例示しているが、導体パターン１３の形状および本数はこれに限定されるものではない。また、導体パターン１４は、グラウンド結合部１２に対してＧＮＤ側に設けられている。図１の構成では、細長い直線状の導体パターン１４を３本設けた場合を例示しているが、導体パターン１４の形状および本数はこれに限定されるものではない。
【００２６】
図１に示すアンテナ装置は、通常は、絶縁基板上に形成されるものである。すなわち、グラウンド部１１、グラウンド結合部１２、および導体パターン１３，１４は、図示しない絶縁基板上に導電体をパターン形成することによって形成される。また、アンテナ素子１０はチップとして形成されたものを該絶縁基板上に搭載する。
【００２７】
本発明に係るアンテナ装置は、上記図１の構成に限定されるものではなく、また、導電パターン１３，１４において種々の好適条件が存在する。以下、導電パターン１３，１４の好適例について説明する。
【００２８】
〔グラウンド結合部の位置〕
図１では、グラウンド結合部１２の位置をアンテナ素子１０とグラウンド部１１との境界位置としているが、グラウンド結合部１２の位置を変更した場合のアンテナ特性について検討する。
【００２９】
図２は、図１と同様に、グラウンド結合部１２の位置をアンテナ素子１０とグラウンド部１１との境界位置とした場合の構成を示している。図４は、グラウンド結合部１２の位置をグラウンド部１１の中心付近の位置とした場合の構成を示している。図６は、グラウンド結合部１２の位置をグラウンド部１１のアンテナ素子１０との接続側と反対側の端部付近の位置とした場合の構成を示している。
【００３０】
図３，図５，図７は、図２，図４，図６の構成のアンテナ装置における入力特性および信号干渉を示すグラフである。
【００３１】
図３に示されるように、グラウンド結合部１２の位置をアンテナ素子１０とグラウンド部１１との境界位置とした場合では、アンテナの入力特性を示すＶＳＷＲ（実線）は、広帯域（例えば、３〜５ＧＨｚ）にわたって３を大きく下回っており良好な入力特性が得られていることが分かる。また、図３では、アンテナの信号干渉を示すＳ２１（破線）は、広帯域にわたって−１５〜−２０程度の値を示しており、これも良好な特性を示しているといえる。
【００３２】
一方、グラウンド結合部１２の位置をグラウンド部１１の中心付近の位置とした場合、あるいはグラウンド結合部１２の位置をグラウンド部１１のアンテナ素子１０との接続側と反対側の端部付近の位置とした場合では、図５または図７に示されるように、ＶＳＷＲが３を下回る帯域が狭くなっており、広帯域（例えば、３〜５ＧＨｚ）にわたって良好な入力特性が得られていない。また、アンテナの信号干渉を示すＳ２１についても、図３のグラフに比べて３〜４ＧＨｚ帯域付近で値が増加しており、広帯域に良好な特性を示しているとは言えない。
【００３３】
図３、図５、図７の比較より、グラウンド結合部１２の位置をアンテナ素子１０とグラウンド部１１との境界位置とすることが好適であることが分かる。
【００３４】
ここで、グラウンド結合部１２の位置とアンテナ素子１０とグラウンド部１１との境界位置との一致性は、一般的には使用する波長によって変動するが、使用する波長の１／１０以下であることを目安にすることが望ましい。本実施例においては、±３ｍｍ程度以下であることが望ましく、さらに望ましくは±１ｍｍ以下であると良い。尚、ここでは、グラウンド結合部１２のエッジとアンテナ素子１０とグラウンド部１１との境界位置とが図３に示すように同一線上にある場合が、グラウンド結合部１２の位置とアンテナ素子１０とグラウンド部１１との境界位置とが完全に一致している場合と見なされる。
【００３５】
〔導体パターンの形状〕
図１では、導体パターン１３，１４は、共に複数の直線状の導体パターンとしているが、これら導体パターンの形状を変更した場合のアンテナ特性について検討する。
【００３６】
図８は、図２の構成において、ＧＮＤ側の導体パターン１４の形状を四角形状に変更した構成を示している。図１０は、図２の構成において、ＧＮＤ側の導体パターン１４の本数を３本から２本に変更した構成を示している。図１０は、図２の構成において、アンテナ素子側の導体パターン１３の形状を四角形状に変更し、ＧＮＤ側の導体パターン１４の形状を三角形状（ＧＮＤ側へ先端をもつテーパ状）に変更した構成を示している。
【００３７】
図９，図１１，図１３は、図８，図１０，図１２の構成のアンテナ装置における入力特性および信号干渉を示すグラフである。
【００３８】
図９，図１１，図１３のグラフにおいては、入力特性および信号干渉共に、図３のグラフと同程度に良好な結果を示している。したがって、導体パターンの形状については、それが直線状の導体パターンであっても多角形状の導体パターンであっても、アンテナ装置における入力特性および信号干渉に与える影響は少ないといえる。
【００３９】
〔アンテナ素子側の導体パターンの寸法〕
アンテナ素子側の導体パターン１３の寸法を変更した場合のアンテナ特性について検討する。
【００４０】
図２は、導体パターン１３の長さを上記高周波電流波長の１／４（ここでは、２５ｍｍ）とした構成を示している。図１４は、図２の構成において、アンテナ素子側の導体パターン１３の長さをアンテナが使用される下限周波数におけるグラウンド結合部を伝搬する高周波電流波長の１／４以下（ここでは、１０ｍｍ）とした構成を示している。図１６は、導体パターン１３のアンテナ素子方向の長さを上記高周波電流波長の１／４以上（ここでは、３０ｍｍ）とした構成を示している。
【００４１】
図１５，図１７は、図１４，図１６の構成のアンテナ装置における入力特性および信号干渉を示すグラフである。また、図２の構成のアンテナ装置における入力特性および信号干渉を示すグラフは図３である。
【００４２】
図３に示されるように、導体パターン１３の長さを上記高周波電流波長の１／４とした場合では、アンテナの入力特性を示すＶＳＷＲ（実線）は、広帯域（例えば、３〜５ＧＨｚ）にわたって３を大きく下回っており良好な入力特性が得られていることが分かる。また、図３では、アンテナの信号干渉を示すＳ２１（破線）は、広帯域にわたって−１５〜−２５程度の値を示しており、これも良好な特性を示しているといえる。
【００４３】
一方、導体パターン１３の長さを上記高周波電流波長の１／４以下とした場合は、図１５に示されるように、ＶＳＷＲが３を下回る帯域が狭くなっており、広帯域（例えば、３〜５ＧＨｚ）にわたって良好な入力特性が得られていない。また、アンテナの信号干渉を示すＳ２１についても、３〜５ＧＨｚ帯域付近で全体的に値が高く、良好な特性を示していない。
【００４４】
また、導体パターン１３の長さを上記高周波電流波長の１／４以上とした場合は、図１７に示されるように、ＶＳＷＲは広帯域（例えば、３〜５ＧＨｚ）にわたって比較的良好な入力特性が得られている。しかしながら、アンテナの信号干渉を示すＳ２１については、３〜５ＧＨｚ帯域付近で全体的に値が高く、良好な特性を示していない。
【００４５】
図３，図１５，図１７の比較より、アンテナ素子側の導体パターン１３の長さは、アンテナが使用される下限周波数におけるグラウンド結合部を伝搬する高周波電流波長の１／４とすることが好適であることが分かる。
【００４６】
また、図２，図１４，図１６では、導体パターン１３を３本を備え、それら全ての長さを同じとした構成を示している。次に、複数備えられた導体パターン１３の長さを変更した場合のアンテナ特性について検討する。
【００４７】
図１８は、アンテナ素子側の導体パターン１３を３本とし、その中央の導体パターン１３の長さをアンテナが使用される下限周波数におけるグラウンド結合部を伝搬する高周波電流波長の１／４（ここでは、２５ｍｍ）として、両端の導体パターン１３の長さを上記高周波電流波長の１／４以下とした構成を示している。図２０は、アンテナ素子側の導体パターン１３を３本とし、その中央の導体パターン１３の長さを上記高周波電流波長の１／４として、両端の導体パターン１３の長さを上記高周波電流波長の１／４以上とした構成を示している。
【００４８】
また、図２２は、アンテナ素子側の導体パターン１３を３本とし、その両端の導体パターン１３の長さを上記高周波電流波長の１／４（ここでは、２５ｍｍ）として、中央の導体パターン１３の長さを上記高周波電流波長の１／４以下とした構成を示している。図２４は、アンテナ素子側の導体パターン１３を３本とし、その両端の導体パターン１３の長さを上記高周波電流波長の１／４として、中央の導体パターン１３の長さを上記高周波電流波長の１／４以上とした構成を示している。
【００４９】
図１９，図２１，図２３，図２５は、図１８，図２０，図２２，図２４の構成のアンテナ装置における入力特性および信号干渉を示すグラフである。
【００５０】
図１９，図２１のグラフより、複数の導体パターン１３を備えた構成において、その中央の導体パターン１３の長さを上記高周波電流波長の１／４としても、両端の導体パターン１３の長さが上記高周波電流波長の１／４以下または１／４以上であれば、アンテナ装置における入力特性が大幅に低下していることが分かる。
【００５１】
一方、図２３，図２５のグラフより、複数の導体パターン１３を備えた構成において、その両端の導体パターン１３の長さを上記高周波電流波長の１／４とすれば、両端の導体パターン１３の長さが上記高周波電流波長の１／４以下または１／４以上であっても、アンテナ装置における入力特性は良好である。
【００５２】
したがって、アンテナ素子側の導体パターン１３として、複数の直線状パターンを設ける場合には、少なくともその両端の（アンテナ素子に最も近い側の）導体パターン１３の長さを、該アンテナが使用される下限周波数におけるグラウンド結合部を伝搬する高周波電流波長の約１／４とすることが望ましい。
【００５３】
但し、図２３，図２５のグラフを図３のグラフと比較すると、アンテナ装置における信号干渉については、図３のグラフの方が広帯域にわたって良好な結果を示していることがわかる。したがって、複数の直線状パターンを設ける場合には、その全ての導体パターン１３の長さを、該アンテナが使用される下限周波数におけるグラウンド結合部を伝搬する高周波電流波長の約１／４とすることが最も望ましい。
【００５４】
〔導体パターンの対称性〕
図１では、導体パターン１３，１４は、隣り合うアンテナの間で対称的に配置されている、これら導体パターン１３，１４を非対称的に配置した場合のアンテナ特性について検討する。
【００５５】
図２６は、図２の構成において、導体パターン１３，１４を隣り合うアンテナ間の中心から一方のアンテナ側（図では右側）へ５ｍｍ移動させた構成を示している。図２７は、図２６の構成のアンテナ装置における入力特性および信号干渉を示すグラフであり、（ａ）は入力特性、（ｂ）は信号干渉を示すグラフである。
【００５６】
図２７より、アンテナ装置における入力特性および信号干渉の何れも、導体パターン１３，１４を非対称にすることによってばらつきが生じるため、好ましくない。
【００５７】
〔ＧＮＤ側導体パターンの形状および寸法〕
図２８，図３０，図３２は、アンテナ素子側の導体パターン１３の形状を四角形状とし、ＧＮＤ側の導体パターン１４の形状を三角形状（ＧＮＤ側に先端を持つテーパ状）にした構成において、導体パターン１４のＧＮＤ方向の長さを変更した場合を示している。尚、これらの図では、図３０において導体パターン１４の長さが、アンテナを使用する下限周波数における自由空間波長の１／４に設定されている。また、図２８においては、導体パターン１４の長さが上記自由空間波長の１／４以下に設定されており、図３２においては、導体パターン１４の長さが上記自由空間波長の１／４以上に設定されている。
【００５８】
図２９，図３１，図３３は、図２８，図３０，図３２の構成のアンテナ装置における入力特性および信号干渉を示すグラフである。
【００５９】
図２９，図３１，図３３のグラフより、アンテナ装置における入力特性については、全てのグラフにおいて、広帯域にわたって良好な結果を示していることがわかる。一方、アンテナ装置における信号干渉については、図３１，図３３の結果は比較的良好であるが、図２９では、３ＧＨｚ付近のＳ２１の値が比較的高く、図３１，図３３と比べると良好な結果とは言いがたい。したがって、ＧＮＤ側の導体パターン１４に関しては、その長さがアンテナを使用する下限周波数における自由空間波長の１／４以上であることが好ましいといえる。
【図面の簡単な説明】
【００６０】
【図１】本発明の実施形態を示すものであり、アンテナ装置の要部構成を示す平面図である。
【図２】本発明のアンテナ装置の一構成例を示す平面図である。
【図３】図２の構成のアンテナ装置のアンテナ特性を示すグラフである。
【図４】本発明のアンテナ装置の比較例を示す平面図である。
【図５】図４の構成のアンテナ装置のアンテナ特性を示すグラフである。
【図６】本発明のアンテナ装置の比較例を示す平面図である。
【図７】図６の構成のアンテナ装置のアンテナ特性を示すグラフである。
【図８】本発明のアンテナ装置の一構成例を示す平面図である。
【図９】図８の構成のアンテナ装置のアンテナ特性を示すグラフである。
【図１０】本発明のアンテナ装置の一構成例を示す平面図である。
【図１１】図１０の構成のアンテナ装置のアンテナ特性を示すグラフである。
【図１２】本発明のアンテナ装置の一構成例を示す平面図である。
【図１３】図１２の構成のアンテナ装置のアンテナ特性を示すグラフである。
【図１４】本発明のアンテナ装置の一構成例を示す平面図である。
【図１５】図１４の構成のアンテナ装置のアンテナ特性を示すグラフである。
【図１６】本発明のアンテナ装置の一構成例を示す平面図である。
【図１７】図１６の構成のアンテナ装置のアンテナ特性を示すグラフである。
【図１８】本発明のアンテナ装置の一構成例を示す平面図である。
【図１９】図１８の構成のアンテナ装置のアンテナ特性を示すグラフである。
【図２０】本発明のアンテナ装置の一構成例を示す平面図である。
【図２１】図２０の構成のアンテナ装置のアンテナ特性を示すグラフである。
【図２２】本発明のアンテナ装置の一構成例を示す平面図である。
【図２３】図２２の構成のアンテナ装置のアンテナ特性を示すグラフである。
【図２４】本発明のアンテナ装置の一構成例を示す平面図である。
【図２５】図２４の構成のアンテナ装置のアンテナ特性を示すグラフである。
【図２６】本発明のアンテナ装置の一構成例を示す平面図である。
【図２７】図２６の構成のアンテナ装置のアンテナ特性を示すグラフである。
【図２８】本発明のアンテナ装置の一構成例を示す平面図である。
【図２９】図２８の構成のアンテナ装置のアンテナ特性を示すグラフである。
【図３０】本発明のアンテナ装置の一構成例を示す平面図である。
【図３１】図３０の構成のアンテナ装置のアンテナ特性を示すグラフである。
【図３２】本発明のアンテナ装置の一構成例を示す平面図である。
【図３３】図３２の構成のアンテナ装置のアンテナ特性を示すグラフである。
【図３４】（ａ）は従来のダイバシティアンテナの構成を示す平面図、（ｂ）はこのアンテナのアンテナ特性を示すグラフである。
【図３５】（ａ）は従来のダイバシティアンテナの他の構成を示す平面図、（ｂ）はこのアンテナのアンテナ特性を示すグラフである。
【図３６】（ａ）は従来のダイバシティアンテナの他の構成を示す平面図、（ｂ）はこのアンテナのアンテナ特性を示すグラフである。
【符号の説明】
【００６１】
１０    アンテナ素子
１１    グラウンド部
１２    グラウンド結合部
１３    アンテナ素子側の導体パターン
１４    グラウンド部側の導体パターン
【図１】
2010004366.tif 000003
【図２】
2010004366.tif 000004
【図３】
2010004366.tif 000005
【図４】
2010004366.tif 000006
【図５】
2010004366.tif 000007
【図６】
2010004366.tif 000008
【図７】
2010004366.tif 000009
【図８】
2010004366.tif 000010
【図９】
2010004366.tif 000011
【図１０】
2010004366.tif 000012
【図１１】
2010004366.tif 000013
【図１２】
2010004366.tif 000014
【図１３】
2010004366.tif 000015
【図１４】
2010004366.tif 000016
【図１５】
2010004366.tif 000017
【図１６】
2010004366.tif 000018
【図１７】
2010004366.tif 000019
【図１８】
2010004366.tif 000020
【図１９】
2010004366.tif 000021
【図２０】
2010004366.tif 000022
【図２１】
2010004366.tif 000023
【図２２】
2010004366.tif 000024
【図２３】
2010004366.tif 000025
【図２４】
2010004366.tif 000026
【図２５】
2010004366.tif 000027
【図２６】
2010004366.tif 000028
【図２７】
2010004366.tif 000029
【図２８】
2010004366.tif 000030
【図２９】
2010004366.tif 000031
【図３０】
2010004366.tif 000032
【図３１】
2010004366.tif 000033
【図３２】
2010004366.tif 000034
【図３３】
2010004366.tif 000035
【図３４】
2010004366.tif 000036
【図３５】
2010004366.tif 000037
【図３６】
2010004366.tif 000038